Podtech/llm-jp-corpus-v4-ja_patent huggingface dataset:
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
心臓のプルキニエ繊維の心筋細胞中の、Ｔ−タイプのＣａ２＋チャネル又はそのサブユニット；Ｉｆを増加させる一つ又はそれより多い分子；ＩＫを増加させる一つ又はそれより多い分子；及びナトリウム電流を生じさせる野生型のナトリウムチャネルの発現を抑圧する一つ又はそれより多い分子をコードするコーディング配列から本質的になる群から選択される、少なくとも二つのコーディング配列を含むバイオペースメーカー組成物。
【請求項２】
細胞の固有のペーシング速度が正常に機能する心臓内の洞房結節細胞の固有のペーシング速度に似たレベルに増加された、請求項１記載のバイオペースメーカー組成物。
【請求項３】
一つのコーディング配列がＩＫを増加させる一つ又はそれより多い分子をコードする、請求項１記載のバイオペースメーカー組成物。
【請求項４】
コーディング配列がｅｒｇ１，ＭｉＲＰ，ＭｉｎＫ，又はＫｖＬＱＴ１をコードする、請求項３記載のバイオペースメーカー組成物。
【請求項５】
コーディング配列がＭｉＲＰをコードする、請求項３記載のバイオペースメーカー組成物。
【請求項６】
コーディング配列がＭｉｎＫをコードする、請求項３記載のバイオペースメーカー組成物。
【請求項７】
コーディング配列がＫｖＬＱＴ１をコードする、請求項３記載のバイオペースメーカー組成物。
【請求項８】
コーディング配列がｅｒｇ１をコードする、請求項３記載のバイオペースメーカー組成物。
【請求項９】
一つのコーディング配列がＴ−タイプのＣａ２＋チャネル又はそのサブユニットをコードする、請求項１記載のバイオペースメーカー組成物。
【請求項１０】
一つのコーディング配列がＴ−タイプのカルシウムチャネルのα１Ｈサブユニットをコードする、請求項１記載のバイオペースメーカー組成物。
【請求項１１】
一つのコーディング配列がナトリウム電流を生じさせる野生型のナトリウムチャネルの発現を抑圧する分子又は分子類をコードする、請求項１記載のバイオペースメーカー組成物。
【請求項１２】
コーディング配列が野生型のナトリウムチャネルの優性阻害形態をコードする、請求項１１記載のバイオペースメーカー組成物。
【請求項１３】
コーディング配列がおとりのポリヌクレオチドをコードする、請求項１１記載のバイオペースメーカー組成物。
【請求項１４】
コーディング配列が野生型のナトリウムチャネルの発現を抑圧するアンチセンスポリヌクレオチドをコードする、請求項１１記載のバイオペースメーカー組成物。
【請求項１５】
心室細胞からのプルキニエ繊維の細胞を電気的にカップルする一つ又はそれより多い分子をコードするコーディング配列をさらに含む、請求項１記載のバイオペースメーカー組成物。
【請求項１６】
コーディング配列がコネキシン４２をコードする、請求項１５記載のバイオペースメーカー組成物。
【請求項１７】
心臓のプルキニエ繊維の心筋細胞中の、Ｈｉｓの束及び／又は丈夫の束のブランチ、Ｔ−タイプのＣａ２＋チャネル又はそのサブユニット、Ｉｆ電流チャネル、ＩＫを増加させる一つ又はそれより多い分子及びナトリウム電流を生じさせる野生型のナトリウムチャネルの発現を抑圧する一つ又はそれより多い分子をコードするコーディング配列から本質的になる群から選択される、少なくとも二つのコーディング配列
を含むバイオペースメーカー組成物。
【請求項１８】
移植可能なペースメーカー及びバイオペースメーカー組成物を含むキットであって、バイオペースメーカー組成物が、心臓のプルキニエ繊維の心筋細胞中の、Ｔ−タイプのＣａ２＋チャネル又はそのサブユニット；Ｉｆを増加させる一つ又はそれより多い分子；ＩＫを増加させる一つ又はそれより多い分子；及びナトリウム電流を生じさせる野生型のナトリウムチャネルの発現を抑圧する一つ又はそれより多い分子をコードするコーディング配列から本質的になる群から選択される少なくとも二つのコーディング配列を含み、そして移植可能なペースメーカーが、細胞の固有のペーシング速度が予め決定されたレベルよりも低いなら心臓の心拍を調製する手段を含む、キット。
【請求項１９】
心臓のプルキニエ繊維心筋細胞に対する心室細胞の電気緊張作用を減じるための手段をさらに含む、請求項１８記載のキット。
【請求項２０】
電気緊張作用を減じる手段が、心室細胞からのプルキニエ繊維の細胞を電気的にカップルする一つ又はそれより多い分子をコードするコーディング配列を含む、請求項１９記載のキット。
【請求項２１】
組成物のコーディング配列がコネキシン４２をコードする、請求項２０記載のキット。
【請求項２２】
心臓のプルキニエ繊維の心筋細胞に送達するための方法により作成されたバイオペースメーカーであって、バイオペースメーカー組成物が、心臓のプルキニエ繊維の心筋細胞中の、Ｔ−タイプのＣａ２＋チャネル又はそのサブユニット、Ｉｆチャネル（ＨＣＮ−ＨＣＮ４）、ＩＫを増加させる一つ又はそれより多い分子及びナトリウム電流を生じさせる野生型のナトリウムチャネルの発現を抑圧する一つ又はそれより多い分子をコードするコーディング配列から本質的になる群から選択される少なくとも二つのコーディング配列を含む、バイオペースメーカー。
【請求項２３】
移植可能なペースメーカー及び心臓のプルキニエ繊維の心筋細胞にバイオペースメーカー組成物を送達するための方法により作成されたバイオペースメーカーを含む系であって、バイオペースメーカー組成物が、心臓のプルキニエ繊維の心筋細胞中の、Ｔ−タイプのＣａ２＋チャネル又はそのサブユニット、Ｉｆチャネル（ＨＣＮ−ＨＣＮ４）、ＩＫを増加させる一つ又はそれより多い分子及びナトリウム電流を生じさせる野生型のナトリウムチャネルの発現を抑圧する一つ又はそれより多い分子をコードするコーディング配列から本質的になる群から選択される少なくとも二つのコーディング配列を含む、系。
【請求項２４】
移植可能なペースメーカー及びバイオペースメーカーの一つが活動し、そして他方がスタンバイ中であるか又は活動していない、請求項２３記載の系。
【請求項２５】
移植可能なペースメーカーが、バイオペースメーカーの性能を監視し、そして、バイオペースメーカーが作動しないときに、ペーシング機能を引き継ぐ、請求項２３記載の系。
【請求項２６】
移植可能なペースメーカーが、バイオペースメーカーの性能を連続して監視し、そして、復帰のための情報及びデータを保存する、請求項２５記載の系。
【請求項２７】
装置患者警告を用いて医師により継続した通院をするように、移植可能なペースメーカーが患者に警告する、請求項２５記載の系。
【手続補正書】
【提出日】平成19年3月16日(2007.3.16)
【手続補正１】
【補正対象書類名】特許請求の範囲
【補正対象項目名】請求項３
【補正方法】変更
【補正の内容】
【請求項３】
保持構造が、ハウジングに形成された相補的ラッチ部材と連結するよう適合されたラッチ受入構造を含む、請求項１に記載のディスペンサー。
【手続補正２】
【補正対象書類名】特許請求の範囲
【補正対象項目名】請求項４
【補正方法】変更
【補正の内容】
【請求項４】
ネックが容器の上部から突き出ており、そしてネックが、それを通して毛管部材を受け入れるための開口部を規定しており、保持構造が、それを通して毛管部材を受け入れるための開口部を含み、そして保持構造が、保持構造の開口部がネックにより規定される開口部と揃うように容器の本体上部に取り付け可能な、請求項１に記載のディスペンサー。
【手続補正書】
【提出日】平成19年3月28日(2007.3.28)
【手続補正１】
【補正対象書類名】特許請求の範囲
【補正対象項目名】請求項４
【補正方法】変更
【補正の内容】
【請求項４】
前記凹部の少なくとも１つは、前記ローラの回転軸を含む複数の平面が有する少なくとも２つの壁によって画定されることを特徴とする、請求項１〜３のいずれか１項に記載のローラ。
【手続補正２】
【補正対象書類名】特許請求の範囲
【補正対象項目名】請求項５
【補正方法】変更
【補正の内容】
【請求項５】
前記凹部の少なくとも１つは金属被覆を有することを特徴とする、請求項１〜４のいずれか１項に記載のローラ。
【手続補正３】
【補正対象書類名】明細書
【補正対象項目名】００４２
【補正方法】変更
【補正の内容】
【００４２】
ローラの側方の端面１２に形成された凹部２２は、軸線３に向かって開口し、内面５の両端から軸方向に所定距離にわたって延びる。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
パレットコンテナ（１０）であって、液状のまたは流動性の充填物の貯蔵および輸送に用いられる、熱可塑性のプラスチックから成る肉薄の内側容器（１２）と、プラスチック容器（１２）を支持ケージとして密に取り囲む格子管フレーム（１４）と、底パレット（１６）とが設けられており、該底パレット（１６）にプラスチック容器（１２）が載置しており、底パレット（１６）に格子管フレーム（１４）が固く結合されており、該格子管フレーム（１４）が、交差箇所で互いに溶接された鉛直なかつ水平な管ロッド（２０，２２）を有している形式のものにおいて、
少なくとも鉛直な管ロッド（２０）が、それぞれ異なる管断面高さを備えた領域を有しており、低い方の管断面高さ（ｈ）を備えた領域が、一貫して線形に延びて交差箇所の間にもしくは交差箇所以外に設けられており、高い方の管断面高さ（Ｈ）を備えた領域が、交差箇所にもしくは交差箇所の内部に設けられていることを特徴とする、パレットコンテナ。
【請求項２】
管ロッド（２０，２２）が、その全長にわたって、交互に配置された互いに異なる２つの横断面、つまり、比較的大きなロッド長さ（Ｌｈ）にわたって、減じられた管断面高さ（ｈ）と減じられた撓み抵抗モーメントとを備えた横断面と、より高い撓み抵抗モーメントを備えた、部分的に増加させられた管断面高さ（Ｈ）を備えた横断面とを有しており、該横断面が、溶接された交差箇所の領域にわたる比較的短いロッド長さ（ＬＨ）にわたって延びている、請求項１記載のパレットコンテナ。
【請求項３】
低い管断面高さ（ｈ）を備えた領域が、２つの交差箇所の中間に形成されており、高い管断面高さ（Ｈ）を備えた領域が、中間で各交差箇所にわたって延びて形成されている、請求項１または２記載のパレットコンテナ。
【請求項４】
低い管断面高さ（ｈ）を備えた、２つの交差箇所の間の領域が、管ロッド長手方向で見て、高い管断面高さ（Ｈ）を備えた、各交差箇所にわたって延びる領域の少なくとも２倍の長さに形成されている（Ｌｈ＞＝２×ＬＨ）、請求項１から３までのいずれか１項記載のパレットコンテナ。
【請求項５】
管格子ロッド（２０，２２）が、その管断面高さに関して交差箇所以外に低い長方形断面として形成されていて、交差箇所の領域に高い長方形断面として形成されている、請求項１から４までのいずれか１項記載のパレットコンテナ。
【請求項６】
低い方の管断面高さ（ｈ）が、一貫して高い管断面高さ（Ｈ＝基本断面）を備えた出発異形ロッドの互いに反対の２つの側の部分的に片側のまたは／かつ両側の凹状成形（ローラ掛け、ローラ押込み）によって形成されている、請求項１から５までのいずれか１項記載のパレットコンテナ。
【手続補正２】
【補正対象書類名】明細書
【補正対象項目名】００２５
【補正方法】変更
【補正の内容】
【００２５】
図８ａおよび図８ｂには、生ぜしめられる引張／圧縮応力を説明するために、モデルとして、Ｔ支持体が、撓み負荷時の所属の応力状態で示してある。中立面層（＝弾性的な線）は撓み梁（Ｔ支持体）の面重心ＳＦを通って延びている。対称的な横断面（たとえば円形管、正方形横断面または長方形横断面）の場合には、中立面層が撓み梁の中心に位置している。なぜならば、そこには面重心も位置しているからである。図８ａで明らかとなるように、面重心ＳＦはＴ支持体の場合に下方にＴ支持体の広幅側に向かって移動させられている。この結果、Ｔ支持体の抵抗モーメントが広幅側における下縁面に対して、狭幅側における上縁面よりも大きく、したがって、応力が下方で上方よりも小さいことが生ぜしめられる。通常、ほぼあらゆる材料は圧力で張力よりも著しく高く負荷され得る。すなわち、危険な引張応力よりも高い圧縮応力が生ぜしめられる。このことは、動力学的に負荷される構成部材の適切な組付け位置に対して重要である。
【手続補正３】
【補正対象書類名】図面
【補正対象項目名】図９
【補正方法】変更
【補正の内容】
【図９】
2006524611.tif 000001
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
式(I)：
Ｒ１Ｏ(ＣＨ２ＣＨ２Ｏ)ｎＨ            (I)
〔式中、Ｒ１は、６〜２２個の炭素原子を含む直鎖または分岐鎖のアルキルおよび／またはアルケニル基であり、ｎは、１〜５０の数値である。〕
に対応するエトキシル化アルコールのα-ヒドロキシカルボン酸エステルの美容製剤における皮膚保湿剤としての使用。
【請求項２】
式(I)において、ｎは、１〜１０の数値であることを特徴とする、請求項１に記載の使用。
【請求項３】
式(I)において、Ｒ１は、直鎖アルキル基であることを特徴とする、請求項１または２に記載の使用。
【請求項４】
式(I)において、Ｒ１Ｏは、６５〜７５重量％のＣ１２アルコール、２０〜３０重量％のＣ１４アルコール、０〜５重量％のＣ１６アルコールおよび０〜５重量％のＣ１８アルコールを含有する脂肪アルコール混合物に由来することを特徴とする、請求項１〜３のいずれかに記載の使用。
【請求項５】
式(I)において、ｎは、平均値４を有することを特徴とする、請求項４に記載の使用。
【請求項６】
式(I)において、Ｒ１Ｏは、４５〜６０重量％のＣ１２アルコール、１５〜３０重量％のＣ１４アルコール、５〜１５重量％のＣ１６アルコールおよび８〜２０重量％のＣ１８アルコールを含有する脂肪アルコール混合物に由来することを特徴とする、請求項１〜３のいずれかに記載の使用。
【請求項７】
式(I)において、ｎは、平均値７を有することを特徴とする、請求項６に記載の使用。
【請求項８】
α-ヒドロキシカルボン酸エステルを、界面活性剤含有美容製剤に使用することを特徴とする、請求項１〜７のいずれかに記載の使用。
【請求項９】
α-ヒドロキシカルボン酸エステルを、陰イオン性界面活性剤含有美容製剤に使用することを特徴とする、請求項８に記載の使用。
【請求項１０】
α-ヒドロキシカルボン酸エステルを、アルキルおよび／またはアルケニルスルフェートおよび／またはアルキルエーテルスルフェート含有美容製剤に使用することを特徴とする、請求項８または９に記載の使用。
【請求項１１】
α-ヒドロキシカルボン酸エステルおよび界面活性剤を、１：２０〜１０：１の重量比で使用することを特徴とする、請求項８〜１０のいずれかに記載の使用。
【手続補正２】
【補正対象書類名】明細書
【補正対象項目名】００３１
【補正方法】変更
【補正の内容】
【００３１】
本発明にしたがって使用されるヒドロキシカルボン酸エステルおよび界面活性剤、特にはアルキルおよび／またはアルケニルスルフェートおよび／またはアルキルエーテルスルフェートは、好適には、１：２０〜１０：１、特には１：２０〜１：１の重量比で使用される。
【手続補正書】
【提出日】平成19年4月27日(2007.4.27)
【手続補正１】
【補正対象書類名】明細書
【補正対象項目名】００３６
【補正方法】変更
【補正の内容】
【００３６】
実施例１：慢性神経因性疼痛モデル
Seltzerら(1990)によって記載されているように、痛覚過敏は座骨神経の部分結紮により惹起される神経因性疼痛のモデルとして試験される。簡単には、Wistarラット(120-140g)を麻酔し、左座骨神経を小さな切開により大腿部の中部で露出させ、７．０絹縫合糸を用いて神経の厚さの１／３から１／２を堅く結ぶ。傷口は一本の筋肉縫合糸と皮膚クリップを用いて閉じ、オーレオマイシン抗生物質パウダーを振りかける。動物を回復させ、そして術後１２から１５日に使用する。機械的痛覚過敏はanalgesymeter(Ugo-Basile、Milan)を用い、後肢の底面に与えられた圧刺激の増加に対する後肢引き込み閾値を、カットオフ値を２５０ｇとして測定することで評価される。引き込み閾値は同側(結紮側)および反対側(非結紮側)で、薬物または媒体の投与前(predose)およびそれから投与後６時間まで測定された。データは引き込み閾値(ｇ)として表され、痛覚過敏の回復パーセンテージは以下の式によって計算する：
【数１】
2006524658.tif 000001
【手続補正書】
【提出日】平成19年4月19日(2007.4.19)
【手続補正１】
【補正対象書類名】明細書
【補正対象項目名】０００２
【補正方法】変更
【補正の内容】
【０００２】
より具体的に、本発明は、遊離形または塩形の、式Ｉ
【化１】
2006524660.tif 000001
〔式中、
Ｒ１はＣ１−６アルキル；ヒドロキシ、Ｃ１−２アルコキシまたは１から６フッ素原子で置換されているＣ１−６アルキル；Ｃ２−６アルケニル；またはＣ２−６アルキニルであり；
Ｘ、Ｙの各々は、独立して、Ｏ、ＣＨ２、またはＣ＝Ｏであり；
Ｒ２はフェニル；ナフチル；Ｃ３−６シクロアルキル；ヘテロアリール；ヘテロ環式残基；フェニル−Ｃ１−２アルキル；Ｃ３−６シクロアルキル−Ｃ１−２アルキル；ヘテロアリールＣ１−２アルキル；ヘテロ環式Ｃ１−２アルキル残基であり；
ここで、各々は、ヒドロキシ、ハロゲン、Ｃ１−４アルキル、１から５フッ素原子で置換されているＣ１−４アルキル、Ｃ３−６シクロアルキル、Ｃ１−４アルコキシ、１から５フッ素原子で置換されているＣ１−４アルコキシ、Ｃ３−６シクロアルコキシ、Ｃ３−６シクロアルキルＣ１−２アルキル、シアノ、フェニル、およびヒドロキシ、ハロゲン、Ｃ１−４アルキル、１から５フッ素原子で置換されているＣ１−４アルキル、Ｃ１−４アルコキシ、１から５フッ素原子で置換されているＣ１−４アルコキシ、またはシアノで置換されているフェニルからなる群から選択される１から５置換基で環置換されていてよく；
Ｒ３はＺ−Ｘ２であり、ここで、ＺはＣＨ２、ＣＨＦまたはＣＦ２であり、Ｘ２はＯＨまたは式(ａ)
【化２】
2006524660.tif 000002
(式中、Ｚ１は直接結合、ＣＨ２、ＣＨＦ、ＣＦ２またはＯであり、そしてＲ８およびＲ９の各々は、独立して、Ｈ、または所望により１、２または３ハロゲン原子で置換されているＣ１−４アルキルである)
の残基であり；そして
Ｒ４およびＲ５の各々は、独立して、Ｈ；所望により１、２または３ハロゲン原子で置換されているＣ１−４アルキル；またはアシルであり；
Ｒ６およびＲ７の各々は、独立して、Ｈ；ヒドロキシ；ハロゲン；Ｃ１−４アルキル；Ｃ１−６シクロアルキル；Ｃ１−４アルコキシ；Ｃ１−６シクロアルコキシ；Ｃ３−６シクロアルキルＣ１−２アルキル；またはシアノであり；そして
ｎは２または３である。〕
の化合物を提供する。
【手続補正２】
【補正対象書類名】明細書
【補正対象項目名】００１０
【補正方法】変更
【補正の内容】
【００１０】
本発明はまた式Ｉの化合物の製造法であり、
ａ)Ｒ３がＺ−Ｘ２であり、Ｘ２がＯＨである式Ｉの化合物の製造のために、式II
【化４】
2006524660.tif 000003
〔式中、Ｘ、ｎ、Ｒ１、Ｒ２およびＲ４は上記で定義の通りであり、Ｒ'３はＺ−Ｘ２であり、ここで、Ｘ２はＯＨであり、そしてＲ'５はアミノ保護基である〕
の化合物に存在する保護基を除去するか、または
ｂ)Ｒ３がＺ−Ｘ２であり、Ｘ２が式(ａ)の残基である式Ｉの化合物の製造のために、式III
【化５】
2006524660.tif 000004
〔式中、Ｘ、ｎ、Ｒ１、Ｒ２、Ｒ４およびＲ'５は上記で定義の通りであり、そしてＲ''３はＺ−Ｘ２であり、ここで、Ｘ２は式(ａ')
【化６】
2006524660.tif 000005
(式中、Ｚ１は上記で定義の通りであり、そしてＲ'８またはＲ'９の各々は、加水分解可能または水素化分解可能な基であるかまたはＲ'８およびＲ'９は、一体となって、所望により環(例えばベンゼン環)に縮合している２価架橋残基を形成する)
の残基である〕
の化合物に存在する保護基を除去し、
そして、必要であれば、遊離形で得た式Ｉの化合物を所望の塩形に変換するか、または逆を行う
ことを含む、方法も含む。
【手続補正３】
【補正対象書類名】明細書
【補正対象項目名】００１３
【補正方法】変更
【補正の内容】
【００１３】
工程(ｂ)は、当分野で既知の方法にしたがい、例えば加水分解、例えばＲ'８およびＲ'９が各々加水分解可能基であるとき、塩基性媒体中の、例えば水酸化バリウムのような水酸化物を使用した、またはＲ'８およびＲ'９が各々ｔｅｒｔ−ブチル基であるとき、酸性媒体中の、例えば加水分解により行ってよい。それは、また、例えば触媒、例えばＰｄ／Ｃ存在下の水素化分解、続く、例えば酸性媒体、例えばＨＣｌ中の加水分解により行い得る。出発物質として使用する式IIおよびIIIの化合物およびそれらの塩はまた新規であり、本発明の一部を構成する。
【手続補正４】
【補正対象書類名】明細書
【補正対象項目名】００１５
【補正方法】変更
【補正の内容】
【００１５】
Ｒ'８およびＲ'９が環系を形成する、式IIの化合物は、下記の通り製造し得る：
【化８】
2006524660.tif 000006
〔式中、Ｘ、Ｙ、ｎ、Ｒ１、Ｒ２、Ｒ４およびＲ'５は上記で定義の通り。〕。
【手続補正５】
【補正対象書類名】明細書
【補正対象項目名】００３０
【補正方法】変更
【補正の内容】
【００３０】
実施例５２：((Ｒ)−２−アミノ−２−メチル−４−[４−(３−フェノキシ−プロポキシ)−フェニル]−ブタン−１−オールヒドロクロライド
【化１９】
2006524660.tif 000007
｛(Ｒ)−１−ヒドロキシメチル−１−メチル−３−[４−(３−フェノキシ−プロポキシ)−フェニル]−プロピル｝−カルバミン酸ｔｅｒｔ−ブチル(５０mg、０.１１mmol)に、４Ｍ  ＨＣｌの乾燥ジオキサン(１mL)溶液を添加した。透明無色溶液を２時間、湿度から保護しながら攪拌した。次いで、溶液を蒸発乾固し、部分的に結晶した残渣を乾燥エーテル(５mL)に取った。１０分の超音波処理により無色結晶が沈殿する。生成物を濾取し、冷エーテル(３×１ml)で洗浄し、真空で乾燥させて、表題化合物を、非吸湿性無色微結晶性粉末の形で得る。ＥＳＩ＋  ＭＳ：ｍ／ｚ＝３３０.４(ＭＨ＋)。
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
非発泡性の経口投与用錠剤であって、錠剤が口腔内で崩壊可能であるように、有効量の活性物質と、少なくとも３０％のケイ化微結晶セルロースと、崩壊剤とを含む、経口投与用錠剤。
【請求項２】
前記錠剤が６０秒以内に口腔内崩壊を示す、請求項１に記載の錠剤。
【請求項３】
前記錠剤が３０秒以内に口腔内崩壊を示す、請求項１又は２に記載の錠剤。
【請求項４】
前記錠剤が少なくとも０．５秒で口腔内崩壊を示す、請求項１〜３のいずれか１項に記載の錠剤。
【請求項５】
前記錠剤が少なくとも２秒で口腔内崩壊を示す、請求項４に記載の錠剤。
【請求項６】
前記錠剤が１〜１５秒の範囲内に口腔内崩壊を示す、請求項４に記載の錠剤。
【請求項７】
前記ケイ化微結晶セルロースが５０％〜９０％の範囲内の量で含有される、請求項１〜６のいずれか１項に記載の錠剤。
【請求項８】
前記ケイ化微結晶セルロースが６０％〜８０％の範囲内の量で含有される、請求項７に記載の錠剤。
【請求項９】
前記ケイ化微結晶セルロースが１〜５％の二酸化ケイ素を含む、請求項１〜８のいずれか１項に記載の錠剤。
【請求項１０】
前記ケイ化微結晶セルロースが２０〜２００ｎｍの範囲内の平均粒径を有する、請求項１〜９のいずれか１項に記載の錠剤。
【請求項１１】
前記崩壊剤が、低置換度ヒドロキシプロピルセルロース、カルボキシメチルセルロース、クロスカルメロースナトリウム、クロスポビドン、デンプン及びそれらの組合せからなる群より選択される、請求項１〜１０のいずれか１項に記載の錠剤。
【請求項１２】
前記崩壊剤が低置換度ヒドロキシプロピルセルロースである、請求項１２に記載の錠剤。
【請求項１３】
前記崩壊剤が０．５％〜２０％の量で含まれる、請求項１１〜１３のいずれか１項に記載の錠剤。
【請求項１４】
２０Ｎ〜５０Ｎの硬度を有する、請求項１〜１３のいずれか１項に記載の錠剤。
【請求項１５】
１％未満の破砕性を有する、請求項１〜１４のいずれか１項に記載の錠剤。
【請求項１６】
前記錠剤が水溶性結合剤を含まない、請求項１〜１５のいずれか１項に記載の錠剤。
【請求項１７】
矯味剤、甘味料、潤滑剤、安定剤、防腐剤及びｐＨ調整剤からなる群より選択される少なくとも１つの付加的な賦形剤をさらに含む、請求項１〜１６のいずれか１項に記載の錠剤。
【請求項１８】
前記活性物質が、医薬活性物質、栄養素、栄養補助食品及び化粧品からなる群より選択される、請求項１〜１７のいずれか１項に記載の錠剤。
【請求項１９】
前記活性物質が１つ以上のビタミンである、請求項１８のいずれか１項に記載の錠剤。
【請求項２０】
前記活性物質が医薬活性物質である、請求項１８又は１９に記載の錠剤。
【請求項２１】
前記医薬活性物質が、前記医薬活性物質を含む被覆粒子の形態で存在する、請求項２０のいずれか１項に記載の錠剤。
【請求項２２】
前記被覆物が徐放性被覆物又は腸溶剤皮である、請求項２１に記載の錠剤。
【請求項２３】
前記医薬活性物質が、抗炎症薬、抗リウマチ薬、鎮吐薬、鎮痛薬、抗てんかん薬、抗精神病薬、抗うつ薬、催眠薬、抗潰瘍薬、運動促進剤、抗喘息薬、抗パーキンソン病薬、心臓血管薬、血管拡張薬、泌尿器科薬、血中脂質低下薬、抗糖尿病薬及び抗ヒスタミン薬からなる群より選択される、請求項２０〜２２のいずれか１項に記載の錠剤。
【請求項２４】
前記医薬活性物質が、イブプロフェン、アセトアミノフェン、ピロキシカム、レフルノミド、オンダンセトロン、グラニセトロン、パラセタモール、カルバマゼピン、ラモトリジン、クロザピン、オランザピン、リスペリドン、シタロプラム、パロキセチン、セルトラリン、フルオキセチン、フルボキサミン、ゾピクロン、ゾルピデム、シメチジン、ラニチジン、オメプラゾール、メトクロプラミド、シサプリド、ドンペリドン、ザフィルルカスト、モンテルカスト、プラミペキソール、セレギリン、ゾルピデム、ゾピクロン、ドキサゾシン、テラゾシン、アテノロール、ビソプロロール、アムロジピン、ニフェジピン、ジルチアゼム、エナラプリル、カプトプリル、ラミプリル、ロサルタン、グリセロールトリニトレート、アルフゾシン、フィナステリド、プラバスタチン、アトロバスタチン、シンバスタチン、ゲンフィブロジル、メトホルミン、テルフェナジン、ロラタジン、セレコキシブ、リフェコキシブ及びリバスチグミン、並びに前記活性物質の製薬上許容される塩、エステル、水和物又は溶媒和物からなる群より選択される、請求項２０〜２３のいずれか１項に記載の錠剤。
【請求項２５】
実質的に５０％〜９０％のケイ化微結晶セルロースと、０％〜２０％の低置換度ヒドロキシプロピルセルロースと、潤滑剤と、有効量の医薬活性物質とからなり、インビトロ崩壊試験において試験したとき１〜１５秒以内に崩壊を示す、口腔内崩壊性医薬錠剤。
【請求項２６】
前記錠剤が、矯味矯臭剤、着色料又はその両方をさらに含む、請求項２５に記載の医薬錠剤。
【請求項２７】
非発泡性の口腔内崩壊性医薬錠剤を製造するための、ケイ化微結晶セルロースの使用。
【請求項２８】
錠剤を水性環境に置くことによって、請求項１〜２６に記載の錠剤を崩壊させることを含む、固形錠剤から活性物質を速やかに放出する方法。
【請求項２９】
前記水性環境が口腔である、請求項２８に記載の方法。
【請求項３０】
前記水性環境が水を満たした容器である、請求項２８に記載の方法。
【誤訳訂正書】
【提出日】平成19年7月26日(2007.7.26)
【誤訳訂正１】
【訂正対象書類名】明細書
【訂正対象項目名】００４９
【訂正方法】変更
【訂正の内容】
【００４９】
より好ましくは、Ｒ１０は、ハロ、メチル、エチル、イソプロピル、ヒドロキシ、メトキシ、ＮＨ２、ＮＨＭｅ、ＮＭｅ２、ＮＨＣＯ２ｔＢｕ、ＣＯ２Ｈ、ＣＯ２ｔＢｕ、オキソ、ベンジル、−ＣＨ２ＯＨ、−ＣＨ２ＮＨ２、ＣＨ２ＮＨＭｅ、−ＣＨ２ＮＭｅ２または−ＣＨ２ＮＭｅＣＯ２ｔＢｕである。
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
変化したグルタメート輸送と関係する病気を治療するための、ＥＡＡＴ２発現促進剤。
【請求項２】
病気が、神経病学的疾患である、請求項１に記載のＥＡＡＴ２発現促進剤。
【請求項３】
パーキンソン病、ハンチントン病、アルツハイマー病、多発性硬化症、筋萎縮性側索硬化症、急性神経病学的疾患、癲癇、脊髄損傷、脳外傷、脳腫瘍、緑内障、及び精神医学的疾患よりなる群から選択する病気を治療するための、請求項２に記載のＥＡＡＴ２発現促進剤。
【請求項４】
β−ラクタム抗生物質である、上記の何れかの請求項に記載のＥＡＡＴ２発現促進剤。
【請求項５】
ペニシリンクラス、セファロスポリンクラス、カルバペネムクラス又はモノバクタムクラスの化合物である、上記の何れかの請求項に記載のＥＡＡＴ２発現促進剤。
【請求項６】
ペニシリンＶ、ペニシリンＶカリウム、デカリニウムクロリド、キナプリル、アモキシシリン、プリジノールメタンスルホネート、アクロミド、バンコマイシンヒドロクロリド、チアンフェニコール、セフトリアキソン、セフトリアキソンナトリウム、１，３−ジプロピル−８−シクロペンチルキサンチン、セファピリンナトリウム、アクチノスペクタシン、セフォペラゾール、セフォペラゾールナトリウム、アシビシン、アセチルコリン、クロラムフェニコール、ビダラビン、アテノロール、オキシテトラサイクリン、グラフェニン、オキシメタゾリンヒドロクロリド、ガラミン、ペリリックアシド(−)、アミトリプチリンヒドロクロリド、テトラカインヒドロクロリド、ジソピラミドホスフェート、シソミシンサルフェート、ケタミンヒドロクロリド、キシラジン、ビククリン、フルルビプロフェン、セファドロキシル、バカンピシリンヒドロクロリド、チアプリドヒドロクロリド、ノルエチンドロンアセテート、ベルガプテン、カリソプロドール、シチオロン、ピロキシカム、エリスロマイシンエチルスクシネート、フレグレレートナトリウム、アルベンダゾール、ジヒドロストレプトマイシンサルフェート、アロイン、フェノプロフェン、フルタミド、アンピシリン、アンピシリンナトリウム、アンプロリウム、スパルテインサルフェート、メドロキシプロゲステロンアセテート、アレキシジンヒドロクロリド、クリンダマイシンヒドロクロリド、セファロチン、セファロチンナトリウム、ダイゼイン、メクリジンヒドロクロリド、リンデン、ブロモプリド、Ｎ−(３−トリフルオロメチルフェニル)ピペラジンヒドロクロリド、エノキソロン、イプラトロピウムブロミド、ブフェキサマク、グルコノラクトン、リファンピン、ヒドロキシクロロキン、コレオフォルシン、クロロキシン、オキシドーパミンヒドロクロリド、カンプトテシン、ナフシリンナトリウム、ミアンセリンヒドロクロリド、アセタルゾール、プリロカインヒドロクロリド、デフェロキサミンメシレート、ヘキサメトニウムブロミド、メテナミン、パラキサンチン、ハマロールヒドロクロリド、ピリチオン亜鉛、ヒドロコルチゾンブチレート、アセタゾラミド、アミノグルテチミド、メクロフェノキセートヒドロクロリド、２−フェンプロピルアミノ−５−ニトロ安息香酸、アミオダロンヒドロクロリド、アコニチン、ヒドロキシプロゲステロンカプロエート、及びジオスミンよりなる群から選択する、上記の何れかの請求項に記載のＥＡＡＴ２発現促進剤。
【手続補正２】
【補正対象書類名】明細書
【補正対象項目名】００１３
【補正方法】変更
【補正の内容】
【００１３】
他の面において、これらの方法は、ここに詳細に描写したものであって、該方法において、ＥＡＡＴ２発現促進剤は、ペニシリンＶカリウム、デカリニウムクロリド、キナプリル、アモキシシリン、プリジノールメタンスルホネート、アクロミド、バンコマイシンヒドロクロリド、チアンフェニコール、セフトリアキソンナトリウム、１，３−ジプロピル−８−シクロペンチルキサンチン(ＤＰＣＰＸ)、セファピリンナトリウム、アクチノスペクタシン、セフォペラゾールナトリウム、アシビシン、アセチルコリン、クロラムフェニコール、ビダラビン、アテノロール、オキシテトラサイクリン、グラフェニン、オキシメタゾリンヒドロクロリド、ガラミン、ペリリックアシド(−)、アミトリプチリンヒドロクロリド、テトラカインヒドロクロリド、ジソピラミドホスフェート、シソミシンサルフェート、ケタミンヒドロクロリド、キシラジン、ビククリン、フルルビプロフェン、セファドロキシル、バカンピシリンヒドロクロリド、チアプリドヒドロクロリド、ノルエチンドロンアセテート、ベルガプテン、カリソプロドール、シチオロン、ピロキシカム、エリスロマイシンエチルスクシネート、フレグレレートナトリウム、アルベンダゾール、ジヒドロストレプトマイシンサルフェート、アロイン、フェノプロフェン、フルタミド、アンピシリンナトリウム、アンプロリウム、スパルテインサルフェート、メドロキシプロゲステロンアセテート、アレキシジンヒドロクロリド、クリンダマイシンヒドロクロリド、セファロチンナトリウム、ダイゼイン、メクリジンヒドロクロリド、リンデン、ブロモプリド、Ｎ−(３−トリフルオロメチルフェニル)ピペラジンヒドロクロリド(ＴＦＭＰＰ)、エノキソロン、イプラトロピウムブロミド、ブフェキサマク、グルコノラクトン、リファンピシン、ヒドロキシクロロキン、コレオフォルシン、クロロキシン、オキシドーパミンヒドロクロリド、カンプトテシン、ナフシリンナトリウム、ミアンセリンヒドロクロリド、アセタルゾール、プリロカインヒドロクロリド、デフェロキサミンメシレート、ヘキサメトニウムブロミド、メテナミン、パラキサンチン、ハマロールヒドロクロリド、ピリチオン亜鉛、ヒドロコルチゾンブチレート、アセタゾラミド、アミノグルテチミド、メクロフェノキセートヒドロクロリド、２−フェンプロピルアミノ−５−ニトロ安息香酸(ＮＰＰＢ)、アミオダロンヒドロクロリド、アコニチン、ヒドロキシプロゲステロンカプロエート、及びジオスミンよりなる群から選択される。
【手続補正３】
【補正対象書類名】明細書
【補正対象項目名】００１４
【補正方法】変更
【補正の内容】
【００１４】
他の面において、これらの方法は、ここで描写した、ＥＡＡＴ２発現促進剤を、ペニシリンＶカリウム、デカリニウムクロリド、キナプリル、アモキシシリン、プリジノールメタンスルホネート、アクロミド、バンコマイシンヒドロクロリド、チアンフェニコール、セフトリアキソンナトリウム、１，３−ジプロピル−８−シクロペンチルキサンチン(ＤＰＣＰＸ)、セファピリンナトリウム、アクチノスペクタシン、セフォペラゾールナトリウム、アシビシン、アセチルコリン、クロラムフェニコール、ビダラビン、アテノロール、オキシテトラサイクリン、グラフェニン、及びオキシメタゾリンヒドロクロリドよりなる群から選択するもの；ＥＡＡＴ２発現促進剤を、ペニシリンＶカリウム、デカリニウムクロリド、キナプリル、アモキシシリン、プリジノールメタンスルホネート、アクロミド、及びバンコマイシンヒドロクロリドよりなる群から選択するもの；ＥＡＡＴ２発現促進剤を、ペニシリンＶカリウム、デカリニウムクロリド、及びキナプリルよりなる群から選択するものである。
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
下記式：
【化１】
2006524677.tif 000001
[式中、
R1は-H又は-CH3を示し; 
R2は-CX3、-CR2-1X2、-CR2-1R2-2X又は-CR2-1R2-2H
（ここで、Xはハロゲンを示し、R2-1及びR2-2は独立して、場合によりハロゲンで置換されていてもよい-H又は-(C1-C4アルキル)を示す。)
を示し;
R3及びR4は独立して、1又は2個の-OH、-(Cl-C4アルコキシ)、-COOH又は-CO-0-(C1-C3アルキル)によって置換されていてもよい-H、-OCH3、-OH、-CONH2、-S02NH2、-F、-Cl、-Br、-I、-CF3又は-(C1-C4アルキル)を示し；及び
R5及びR6は独立して、場合によりヒドロキシル基で置換されていてもよいC1-C6アルキルを示す、ここで、R5及びR6は、少なくとも3個の炭素原子を含み、R5及びR6はアミン窒素と一緒になって環を形成してもよい；
但し、R2は少なくとも1個のハロゲンを含む。]
で表される3,3-ジフェニルプロピルアミン及びその任意の立体異性体又は生理的に許容されるその酸付加塩。
【請求項２】
前記R2基が、通常のフェニル環構造においてOR1基の反対側に位置している、請求項１記載の3,3-ジフェニルプロピルアミン。
【請求項３】
Xがフッ素原子を示す、請求項１記載の3,3-ジフェニルプロピルアミン。
【請求項４】
R2が-CX3を示す、請求項１記載の3,3-ジフェニルプロピルアミン。
【請求項５】
R3及びR4の少なくとも1つが-Hを示す、請求項１記載の3,3-ジフェニルプロピルアミン。
【請求項６】
R3及びR4がいずれも-Hを示す、請求項１記載の3,3-ジフェニルプロピルアミン。
【請求項７】
R5及びR6の少なくとも1つがC1-C3アルキルを示す、請求項１記載の3,3-ジフェニルプロピルアミン。
【請求項８】
R5及びR6の少なくとも1つがイソプロピルを示す、請求項７記載の3,3-ジフェニルプロピルアミン。
【請求項９】
R5及びR6がいずれもイソプロピルを示す、請求項７記載の3,3-ジフェニルプロピルアミン。
【請求項１０】
炭素原子の立体中心が(R)である、請求項１記載の3,3-ジフェニルプロピルアミン。
【請求項１１】
炭素原子の立体中心が(S)である、請求項１記載の3,3-ジフェニルプロピルアミン。
【請求項１２】
立体異性体の混合物の形態で存在する、請求項１記載の3,3-ジフェニルプロピルアミン。
【請求項１３】
N,N-ジイソプロピル-3-(2-メトキシ-5-トリフルオロメチルフェニル)-3-フェニルプロパンアミン;N,N-ジイソプロピル-3-(2-ヒドロキシ-5-トリフルオロメチルフェニル)-3-フェニルプロパンアミン;及び、N,N-ジイソプロピル-3-(2-ヒドロキシ-5-トリフルオロメチルフェニル)-3-フェニルプロパンアミン 酒石酸塩からなる群より選ばれる、請求項１記載の3,3-ジフェニルプロピルアミン。
【請求項１４】
請求項１〜１３のいずれか１項記載の3,3-ジフェニルプロピルアミンの治療上有効量及びそのための好適な医薬担体を含む医薬組成物。
【請求項１５】
医薬として使用するための、請求項１〜１３のいずれか１項記載の3,3-ジフェニルプロピルアミン。
【請求項１６】
請求項１〜１３のいずれか１項記載の3,3-ジフェニルプロピルアミンを含む、泌尿器疾患を治療するための医薬組成物。
【請求項１７】
請求項１〜１３のいずれか１項記載の3,3-ジフェニルプロピルアミンの治療上有効量を含む、ヒトを含む当該哺乳動物の泌尿器疾患を治療するための医薬組成物であって、泌尿器疾患の治療を必要としている哺乳動物に投与される、前記組成物。
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
少なくとも１種の水溶性ポリマー、味隠蔽有効量のスクラロース、及び医薬活性物質を含む、ヒトを包含する温血動物の口腔への付着及び口腔内での溶解に適合した消耗フィルム。
【請求項２】
サッカリン、アスパルテーム、キシリトール、アセスルファームカリウム及びそれらの混合物からなる群から選択される第二の甘味料をさらに含む、請求項１に記載の消耗フィルム。
【請求項３】
甘味料が、消耗フィルムの全重量に対して約0.1〜10質量％の量で存在する、請求項１
に記載の消耗フィルム。
【請求項４】
医薬活性物質が、アスピリン、アセトアミノフェン、イブプロフェン、ケトプロフェン、ジフルニサル、フェノプロフェンカルシウム、ナプロキセン、トルメチンナトリウム、インドメタシン、フルルビプロフェンナトリウム、セレコキシブ、バルデコキシブ、ロフェコキシブ及びそれらの混合物からなる群から選択される、請求項１に記載の消耗フィルム。
【請求項５】
医薬活性物質が、バルデコキシブである、請求項１に記載の消耗フィルム。
【請求項６】
医薬活性物質が、ベンゾナテート、エジシル酸カラミフェン、メントール、臭化水素酸デキストロメトルファン、塩酸クロフェジアノール及びそれらの混合物からなる群から選択される、請求項１に記載の消耗フィルム。
【請求項７】
医薬活性物質が、塩酸プソイドエフェドリン、フェニレフェリン、フェニルプロパノールアミン、硫酸プソイドエフェドリン及びそれらの混合物からなる群から選択される、請求項１に記載の消耗フィルム。
【請求項８】
医薬活性物質が、マレイン酸ブロムフェニラミン、マレイン酸クロルフェニラミン、マ
レイン酸カルビノキサミン、フマル酸クレマスチン、マレイン酸デクスクロフェニラミン、塩酸ジフェンヒドラミン、マレイン酸アザタジン、クエン酸ジフェンヒドラミン、塩酸ジフェニルピラリン、コハク酸ドキシラミン、塩酸プロメタジン、マレイン酸ピリラミン、クエン酸トリペレナミン、塩酸トリプロリジン、アクリバスチン、ロラタジン、ブロムフェニラミン、デクスブロフェニラミン、フェキソフェナジン、セチリジン及びそれらの混合物からなる群から選択される、請求項１に記載の消耗フィルム。
【請求項９】
医薬活性物質が、ファモチジン、ラニチジン及びそれらの混合物からなる群から選択される、請求項１に記載の消耗フィルム。
【請求項１０】
少なくとも１種の水溶性ポリマーが、プルラン、ヒドロキシプロピルメチルセルロース、ヒドロキシエチルセルロース、ヒドロキシプロピルセルロース、ポリビニルピロリドン、カルボキシメチルセルロース、ポリビニルアルコール、アルギン酸ナトリウム、ポリエチレングリコール、トラガカントガム、グアガム、アカシアガム、アラビアガム、ポリアクリル酸、メチルメタクリレートコポリマー、カルボキシビニルポリマー、アミロース、高アミロース澱粉、ヒドロキシプロピル化高アミロース澱粉、デキストリン、ペクチン、キチン、キトサン、レバン、エルシナン、コラーゲン、ゼラチン、ゼイン、グルテン、分離ダイズタンパク質、分離ホエータンパク質、カゼイン及びそれらの混合物からなる群から選択される、請求項１に記載の消耗フィルム。
【請求項１１】
少なくとも１種の水溶性ポリマーがプルランである、請求項１に記載の消耗フィルム。
【請求項１２】
医薬活性物質が、チモール、メントール、サリチル酸メチル（ウィンターグリーン油）、ユウカリプトール、カルバクロール、カンファー、アネトール、カルボン、オイゲノール、イソオイゲノール、リモネン、オシメン、ｎ−デシルアルコール、シトロネル、ａ−サルピネオール、酢酸メチル、酢酸シトロネリル、メチルオイゲノール、シネオール、リナロール、エチルリナラオール、サフローラバニリン、スペアミント油、ペパーミント油、レモン油、オレンジ油、セージ油、ローズマリー油、シナモン油、ピメント油、ローレル油、ニオイヒバ油、ゲリアノール、バーベノン、アニス油、ベイ油、ベンズアルデヒド、ベルガモット油、苦扁桃、クロロチモール、桂皮アルデヒド、シトロネラ油、クローブ油、コールタール、ユーカリ油、グアヤコール、ラベンダー油、カラシ油、フェノール、サリチル酸フェニル、松根油、松葉油、サッサフラス油、スパイクラベンダー油、エゴノキ、タイム油、トルーバルサム、テルペンチン油及びそれらの組み合わせからなる群から選択される少なくとも１種の精油である、請求項１に記載の消耗フィルム。
【請求項１３】
少なくとも１種の精油が、チモール、サリチル酸メチル、オイカリプトール、メントール及びそれらの混合物からなる群から選択される、請求項１２に記載の消耗フィルム。
【請求項１４】
フィルムが単一層の形態にある、請求項１に記載の消耗フィルム。
【請求項１５】
請求項１に記載の消耗フィルムを口腔に投与することを含む、ヒトを包含する温血動物の口腔内で医薬活性物質を送達する方法。
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
導電性材料をポンピングするための装置であって、
開放端を有し且つ底部を閉鎖した外側チューブと、
該外側チューブ内に配置した中央チューブにして、該中央チューブの外側壁と外側チューブの内側壁との間に環状の容積部分を形成し、該環状の容積部分の頂部が装置から導電性材料を取り出すための出口と連通する中央チューブと、
該中央チューブ内に配設された開放された内側チューブと、
内側チューブの外側壁と中央チューブの内側壁との間に配置した磁性材料と、
前記内側チューブ内に導電性材料を取り入れる入口にして、内側チューブの上部付近に配置され且つ内側チューブの開口と連通する入口と、
外側チューブの外側の周囲の高さ位置に配置した複数の誘導コイルと、
複数の誘導コイルの各々に直流電流を供給して生じさせた磁界により前記導電性材料に磁力を付加し、かくして導電性材料を環状の容積部分と出口とを通して上昇せしめるための手段と、
を含む装置。
【請求項２】
導電性材料をポンピングするための方法であって、
開放された内側チューブの開口内に導電性材料の供給源を提供すること、
内側チューブの外側周囲に開放された中央チューブを挿通させること、
中央チューブの周囲に、底部が閉鎖され且つ開口を有する外側チューブを挿通して中央チューブと外側チューブとの間に環状の容積部分を形成し、該環状の容積部分を、開放された前記内側チューブ内の導電性材料と連通させること、
内側チューブの外側壁と中央チューブの内側壁との間に導電性材料を配置すること、
外側チューブの外側を複数の誘導コイルで包囲させること、
該複数の誘導コイルの各々に交流電流を印加して生じさせた磁界により導電性材料に磁力を付加し、かくして導電性材料を環状の容積部分と出口とを通して上昇せしめること、
を含む方法。
【請求項３】
導電性材料をポンピングするための方法であって、
開放された内側チューブの開口内に形成した供給源容積部分内に導電性材料の供給源を提供すること、
内側チューブの外側周囲に、開放された中央チューブを挿通させること、
中央チューブの周囲に、底部が閉鎖され且つ開口を有する外側チューブを挿通して中央チューブと外側チューブとの間に磁力ポンピング容積部分を形成し、該磁力ポンピング容積部分を前記供給源容積部分と連通させること、
内側チューブの外側壁と中央チューブの内側壁との間に導電性材料を配置すること、
外側チューブの外側を複数の誘導コイルで包囲させること、
該複数の誘導コイルの各々に交流電流を印加して生じさせた磁界により導電性材料に磁力を付加して導電性材料を磁力ポンピング容積部分を通して移動させ、かくして導電性材料の供給源を前記供給源容積部分を通して磁力ポンピング容積内に移動させ、該供給源容積部分内の導電性材料の流れ方向を磁力ポンピング容積部分内の導電性材料の流れ方向とは全体に反対の方向となるようにすること、
を含む方法。
【請求項４】
三相電源から複数の誘導コイルに交流電流を供給することを更に含み、前記三相の各二相がその正逆を交互させる状態下に複数の誘導コイルにシーケンス的に接続される請求項３の方法。
【請求項５】
導電性材料をポンピングするための装置であって、
開放された外側チューブにして、底部の開口が、該外側チューブ内に導電性材料を取り入れるための入口と連通する外側チューブと、
外側チューブ内に配置した開放された中央チューブにして、外側チューブの内側壁と中央チューブの外側壁との間に環状の容積部分を形成し、閉鎖された底部を有し、前記環状の容積部分の上部が導電性材料を装置から取り出すための出口と連通する中央チューブと、
中央チューブ内に配置した内側チューブと、
内側チューブの外側壁と中央チューブの内側壁との間に配置した磁性材料と、
外側チューブの外側の周囲部分の高さ位置に配置した複数の誘導コイルと、
複数の誘導コイルの各々に直流電流を供給して生じさせた磁界により前記導電性材料に磁力を付加し、かくして導電性材料を環状の容積部分と出口とを通して上昇せしめるための手段と、
を含む装置。
【請求項６】
複数の誘導コイルの各々に直流電流を供給して生じさせた磁界により前記導電性材料に磁力を付加し、かくして導電性材料を環状の容積部分と出口とを通して上昇せしめるための手段が三相出力の電源であり、三相の内の各二相が複数の誘導コイルにシーケンス的に接続されることにより、導電性材料を環状の容積部分及び出口を通して押送する、磁界の六相サイクルを創出する請求項１あるいは５の装置。
【請求項７】
電源が可変電圧出力あるいは可変周波数出力を有する請求項６の装置。
【請求項８】
複数の誘導コイルがボビン磁気コイルを含んでいる請求項１あるいは５の装置。
【請求項９】
導電性材料をポンピングするための方法であって、
開放された外側チューブの底部の開口内に導電性材料を供給すること、
外側チューブの開放された底部を、中央チューブの外側壁と外側チューブの内側壁との間に形成した環状の容積部分と連結させること、
内側チューブの外側壁と中央チューブの内側壁との間に磁性材料を配置すること、
外側チューブの外側を複数の誘導コイルで取り巻かせること、
複数の誘導コイルの各々に交流電流を印加して生じさせた磁力により導電性材料を環状の容積部分及び出口を通して押送させること、
を含む方法。
【請求項１０】
三相電源から複数の誘導コイルに交流電流を供給することを更に含み、前記三相の各二相がその正逆を交互させる状態下に複数の誘導コイルにシーケンス的に接続される請求項２あるいは９の方法。
【手続補正２】
【補正対象書類名】図面
【補正対象項目名】図５
【補正方法】変更
【補正の内容】
【図５】
2006524300.tif 000001
【誤訳訂正書】
【提出日】平成19年3月14日(2007.3.14)
【誤訳訂正１】
【訂正対象書類名】明細書
【訂正対象項目名】００１３
【訂正方法】変更
【訂正の内容】
【００１３】
特定の処理剤は、少なくとも１種の銀イオン含有化合物、又は異なる種類のそのような化合物の混合物を含まなければならない。用語「銀イオン含有化合物」は、イオン交換樹脂、ゼオライト又は置換されていることがあるガラス物質（他のアニオン種が存在すると結合されていた特定の金属イオンを放出する）を包含する。本発明において好ましい銀イオン含有化合物は、Milliken & Companyから商品名ALPHASANTMとして入手できる抗菌性リン酸銀ジルコニウムである。本発明において好ましい他の銀イオン含有抗菌剤は、Sinanenから商品名ZEOMICTM AJとして入手できる銀置換ゼオライト、またはIshizuka Glass から商品名IONPURETM として入手できる銀ガラスであり、これらは好ましい成分に加えてまたは代替品として利用され得る。一般に、このような金属化合物の添加量は、特定の処理組成物全質量の約0.01〜40質量％であり、より好ましくは約0.05〜約30質量％、最も好ましくは約0.1〜約30質量％である。この金属化合物は、約0.01〜5%owf、好ましくは約0.05〜3%owf、より好ましくは約0.1〜2%owf、最も好ましくは約1.0%owfの割合で存在する。必要な結合剤、そのような結合剤のための架橋剤、均展剤、接着剤、増粘剤などを含む処理剤自体は、約0.01〜10%owfの量で基材に加えられる。特に興味があるのは、汚れ再付着防止ポリマー、例えばある種のエトキシル化ポリエステルPD-92及びDA-50（共にMilliken & Company から販売）、又はMileaseTM（Clariant から販売）である。
【誤訳訂正２】
【訂正対象書類名】明細書
【訂正対象項目名】００４４
【訂正方法】変更
【訂正の内容】
【００４４】
【表１２】
2006524294.tif 000001
【誤訳訂正３】
【訂正対象書類名】明細書
【訂正対象項目名】００４５
【訂正方法】変更
【訂正の内容】
【００４５】
【表１３−１】
2006524294.tif 000002
【表１３−２】
2006524294.tif 000003